(57)【要約】      （修正有）【課題】麺製造時にユーザーが、材料を所望する量だけ可変的に製麺機に供給することのできる製麺機の原料供給装置を提供する。【解決手段】製麺機の原料供給装置は、ホッパに保存される麺原料を設定された量だけミキシング部に供給する原料供給装置において、ホッパの上下空間を両分するように回転可能に取り付けられ、一定半径の円周上に複数の孔を備えた仕切り部；前記仕切り部の上側と結合して連動する撹拌翼；仕切り部の下側に取り付けられ、外側面に複数個の溝を備えたのこ歯；及び仕切り部、撹拌翼、のこ歯を収容すべくホッパの下段に結合するハウジングを含む。【選択図】図２
0003115950.tif 000002
【実用新案登録請求の範囲】
【請求項１】
ホッパに保存された麺原料を設定された量だけミキシング部に供給する原料供給装置において、
前記ホッパの上下空間を両分するように回転可能に取り付けられ、一定半径の円周上に複数の孔を備える仕切り部と；
前記仕切り部の上側と結合して連動する撹拌翼と；
前記仕切り部の下側に取り付けられ、外側面に複数個の溝を備えるのこ歯と；及び
前記仕切り部、撹拌翼、のこ歯を収容すべく前記ホッパの下段に結合するハウジングと、を含んでなることを特徴とする製麺機の原料供給装置。
【請求項２】
前記仕切り部の片側に、投入される麺原料を通過させる案内部を更に備えたことを特徴とする請求項１に記載の製麺機の原料供給装置。
【考案の詳細な説明】
【技術分野】
【０００１】  本考案は、製麺機の原料供給装置に関するもので、より詳しくは、麺製造時にユーザーが、材料を所望する量だけ可変的に製麺機に供給することのできる製麺機の原料供給装置に関する。
【背景技術】
【０００２】  一般的に麺を作る過程は、小麦粉とそば粉のような原料を水とともにこねた後、薄く広げ、適当な太さに切断する過程からなる。しかし、このような過程は全て手作業で行われるため、多量の麺を要する飲食店では、多くの労動力が必要となり、製造スピードをあげなければならないという時間上の制約が発生し、収益性が低下するという問題点を有している。【０００３】  このような問題点を解決するために、従来的にはコネまたは切断等の部分的な作業に機械を使用する方式が導入されたりもした。しかし従来の方式は、短い時間内で既に予定された分量の麺を準備する面においては有利であったが、麺を予め製造して保存することに伴う管理上の注意が必要となった。【０００４】  これに加えて、製麺機に供給される原料の量を調節して麺製造時に原料の効果的な投入を行う原料の効果的な管理が必要となった。
【考案の開示】
【考案が解決しようとする課題】
【０００５】  本考案は、上述した問題点を解決するためのものであり、本考案の目的は、製麺機を通じた麺製造時に、原料を必要な量だけ選択的に供給することのできる製麺機の原料供給装置を提供することにある。
【課題を解決する為の手段】
【０００６】  前記目的を達成するための本考案による製麺機の原料供給装置は、ホッパに保存される麺原料を設定された量だけミキシング部に供給する原料供給部において、前記ホッパの上下空間を両分するように回転可能に取り付けられ、一定半径の円周上に複数の孔を備えた仕切り部；前記仕切り部の上側と結合して連動する撹拌翼；前記仕切り部の下側に取り付けられ、外側面に複数個の溝を備えたのこ歯；及び前記仕切り部、撹拌翼、のこ歯を収容すべく前記ホッパの下段に結合するハウジングを含んでなることを特徴とする。
そして前記仕切り部の片側には、投入される麺原料を通過させる案内部を更に備えることができるのは言うまでもない。
【考案の効果】
【０００７】  本考案によると、製麺機に投入される麺の原料を選択的に供給して、速やかな注文処理が可能となるよう麺製造時間を節約できる効果がある。
【考案を実施する為の最良の形態】
【０００８】  以下、本考案による製麺機の原料供給装置について、添付図面を参照しながら詳述する。
【０００９】  本考案による製麺機は、図１に示したように、ホッパ１０、ミキシング部３０、軟水タンク４０、圧延部５０、細切部６０、カッタ７０、コンベヤ８０から構成される。
【００１０】  先ずホッパ１０は、麺原料を一定量だけ供給するよう保存するものであって、上述した麺原料を上限線及び下限線の保存レベルで表示して、排出量が常に一定の範囲に維持できるようにする。また、前記ホッパ１０は、モータの回転力で麺原料を下方向に移送させて後続する工程に投入するのだが、その詳しい構成と作動は後述する。
【００１１】  一方、軟水タンク４０は、上述した麺原料をこねるための水を保存して、一定量ずつ供給する役目を担う。前記軟水タンク４０は、図示されていないが、タンクの水を移送するポンプと加水量を調節する閉バルブ及び加水流路を速やかに開閉する電子バルブからなる。
【００１２】  更に、ミキシング部３０は、瞬間熟成されたソボロ状の原料を生成するよう、前記ホッパ１０及び軟水タンク４０と連動するように設置される。前記ミキシング部３０は、スクリュを利用して麺原料を移送させるものであり、その上流段にノズルが設置されて軟水タンク４０と配管に連結される。この時、ソボロとは、麺原料が水と混合されて比較的太い微粒子のように固まった状態を意味する。
【００１３】  また、圧延部５０は、こねられた麺原料を加圧して薄い板状に生成するものであって、細切部６０は上述した麺原料を一定の太さに切断して麺を生成するものである。
【００１４】  更に、カッタ７０は上述した麺を一定の長さ単位で選択的に切断するもので、コンベヤ８０は切断された麺を排出する役目を担う。
【００１５】  本考案による製麺機の原料供給装置（２０）を詳しく見ると、図２に示したように、ホッパ１０、仕切り部２２、撹拌翼２４、のこ歯２６及びハウジング２８から構成される。
【００１６】  先ず、ホッパ１０は内部に一定空間を形成し、前記内部には麺原料が一定量だけ保存される。また前記ホッパ１０は麺原料を設定された量だけミキシング部３０に供給する。
【００１７】  前記ミキシング部３０に供給された麺原料は、一定半径の円周上に複数の孔を備えた仕切り部２２に投入される。この時、仕切り部２２は、前記ホッパ１０を上下の空間に両分するように回転可能に取り付けられる。更に、前記仕切り部２２を基準としてホッパ１０の上部空間に麺原料が保存され、前記ホッパ１０の下部空間にはモータが連結される機構的構成からなる。
また、前記仕切り部２２に形成された複数の孔は、仕切り部２２の外端より少し内側の円周上に一定の角度範囲を有しながら同じ大きさで形成される。このような仕切り部２２の孔には麺原料が供給され、落下までの待機状態として維持される。
更に、前記仕切り部２２には、その上側に撹拌翼２４が連動するよう結合される。また撹拌翼２４は、ホッパ１０に積層状態で保存される麺原料が互いに固まらないようにし、仕切り部２２の孔にスムーズに流入されるようにする役割を担う。
【００１８】  これに加えて、前記撹拌翼２４は、別のモータを用いるか、または同一のモータを用いるにしても、適切な変速機構を備え、撹拌翼２４と異なる速度で稼動する構成からなり得ることは言うまでもない。
【００１９】  のこ歯２６は、前記仕切り部２２の下側に結合し、外側面上には複数の溝を備える。
この時、のこ歯２６が回転することによって、前記溝を介して麺原料が下部へ落下する。
【００２０】  また、ハウジング２８は、前記仕切り部２２、撹拌翼２４及びのこ歯２６を収容すべくホッパ１０の下段に結合する。前記ハウジング２８は、ねじ結合のような締結手段でホッパ１０の下段に結合される。
【００２１】  これに加えて、前記ハウジング２８の底面には、図示されていないが、仕切り部２２と撹拌翼２４を駆動させるモータ部が取り付けられる。更にハウジング２８は、下部のミキシング部３０へ麺原料を投入するための排出口を備える。前記排出口に沿って麺原料が下部に投入される。
【００２２】  また、前記仕切り部２２は片側に、落下する麺原料が通過する案内部２２Ａを一体に備えることができる。この時前記案内部２２Ａは、排出口付近の仕切り部２２の上部に一体に固定されて麺原料の落下を助ける役目を担う。
【図面の簡単な説明】
【００２３】
【図１】製麺機の全体構成を説明するための斜視図。
【図２】本考案による製麺機の原料供給装置を説明するための分解斜視図。
【符号の説明】
【００２４】１０：ホッパ
２０：原料供給装置
２２：仕切り部
２２Ａ：案内部
２４：撹拌翼
２６：のこ歯
２８：ハウジング
３０：ミキシング部
４０：軟水タンク
５０：圧延部
６０：細切部
７０：カッタ
８０：コンベヤ
【図１】
0003115950.tif 000003
【図２】
0003115950.tif 000004